(57)【特許請求の範囲】
【請求項１】
一曲分の楽曲を構成する音符データおよび休符データの列、各音符データの再生に使用する音色を指定する音色データ、各音符データおよび休符データを再生するテンポを指定するテンポデータを含む楽曲データを受信する受信手段と、
前記受信手段が受信した楽曲データに含まれる音色データを出力すると共に、楽曲データに含まれる各音符データおよび休符データの列の先頭から順に、テンポデータによって決まる音符または休符間のインターバル時間に基づいた間隔で、各音符データおよび休符データを出力する制御手段と、
前記制御手段が出力した音色データ、音符データおよび休符データを所定の外部再生機器に送出する送出手段と
を有することを特徴とする携帯電話機。
【請求項２】
前記受信手段が受信した楽曲データを記憶する記憶手段を有し、
前記制御手段は、前記記憶手段が記憶した楽曲データに含まれる音色データを出力すると共に、楽曲データに含まれる各音符データおよび休符データをテンポデータに応じたテンポで出力する
ことを特徴とする請求項１に記載の携帯電話機。
【請求項３】
前記送出手段は、
前記制御手段が出力した音色データ、音符データおよび休符データを所定の外部再生機器に適合する形式に変換するインターフェース部と、
このインターフェース部が変換した音色データ、音符データおよび休符データを所定の外部再生機器へ出力する出力端子と
を有することを特徴とする請求項１または２に記載の携帯電話機。
【請求項４】
前記送出手段は、
前記制御手段が出力した音色データ、音符データおよび休符データを所定の外部再生機器に適合する形式に変換するインターフェース部と、
このインターフェース部が変換した音色データ、音符データおよび休符データを無線で所定の外部再生機器に送信する送信部と
を有することを特徴とする請求項１または２に記載の携帯電話機。
【発明の詳細な説明】
【０００１】
【発明の属する技術分野】
本発明は、電話回線を介して配信された楽曲データを再生することが可能な携帯電話機に関する。
【０００２】
【従来の技術】
最近、インターネットを介して音楽配信が行われるようになってきた。この音楽配信とは、楽曲ダウンロードセンター等からインターネットを介して楽曲データをダウンロードし、ダウンロードした楽曲データから楽曲を再生するものである。
【０００３】
この楽曲データは、携帯電話機を用いてダウンロードすることも可能である。一方、最近の携帯電話機には、ユーザが好む楽曲を着信メロディとして設定できる機能が付加されており、簡単な楽曲であれば携帯電話機を用いて再生することが可能である。
【０００４】
【発明が解決しようとする課題】
しかし、従来の携帯電話機では、再生できる音色数が限られているので、多音色である楽曲、例えばオーケストラによる演奏などを、元の音色に忠実に再生することができないという問題がある。
【０００５】
本発明は、上記の問題を解決するためになされたもので、多音色の楽曲を元の音色に忠実に再生することができる携帯電話機を提供するものである。
【０００６】
【課題を解決するための手段】
請求項１に記載の発明は、一曲分の楽曲を構成する音符データおよび休符データの列、各音符データの再生に使用する音色を指定する音色データ、各音符データおよび休符データを再生するテンポを指定するテンポデータを含む楽曲データを受信する受信手段と、前記受信手段が受信した楽曲データに含まれる音色データを出力すると共に、楽曲データに含まれる各音符データおよび休符データの列の先頭から順に、テンポデータによって決まる音符または休符間のインターバル時間に基づいた間隔で、各音符データおよび休符データを出力する制御手段と、前記制御手段が出力した音色データ、音符データおよび休符データを所定の外部再生機器に送出する送出手段とを有することを特徴とする携帯電話機である。
【０００７】
請求項２に記載の発明は、前記受信手段が受信した楽曲データを記憶する記憶手段を有し、前記制御手段は、前記記憶手段が記憶した楽曲データに含まれる音色データを出力すると共に、楽曲データに含まれる各音符データおよび休符データをテンポデータに応じたテンポで出力することを特徴とする請求項１に記載の携帯電話機である。
【０００８】
請求項３に記載の発明は、前記送出手段は、前記制御手段が出力した音色データ、音符データおよび休符データを所定の外部再生機器に適合する形式に変換するインターフェース部と、このインターフェース部が変換した音色データ、音符データおよび休符データを所定の外部再生機器へ出力する出力端子とを有することを特徴とする請求項１または２に記載の携帯電話機である。
【０００９】
請求項４に記載の発明は、前記送出手段は、前記制御手段が出力した音色データ、音符データおよび休符データを所定の外部再生機器に適合する形式に変換するインターフェース部と、このインターフェース部が変換した音色データ、音符データおよび休符データを無線で所定の外部再生機器に送信する送信部とを有することを特徴とする請求項１または２に記載の携帯電話機である。
【００１０】
【発明の実施の形態】
以下、図面を参照し、本発明の一実施形態について説明する。図１は、本発明の一実施形態による携帯電話機Ｋおよびこの携帯電話機Ｋに接続される外部再生機器の構成を示すブロック図である。この図において、符号１は、携帯電話機Ｋ内の回路各部を制御するＣＰＵ（中央処理装置）であり、このＣＰＵ１は、バスライン１ａを介して携帯電話機Ｋ内の回路各部とデータや命令の授受を行う。ＣＰＵ１は、携帯電話機Ｋ内の回路各部を制御する機能と共に、この携帯電話機Ｋに接続される外部再生機器、例えばシンセサイザやパーソナルコンピュータ等を制御するシーケンサとしての機能を有する。符号２は、ＣＰＵ１のプログラムが記憶されると共に、着信メロディを発生するための着信メロディデータが記憶されたＲＯＭ（リード・オンリー・メモリ）である。
【００１１】
符号３は、データ一時記憶用のＲＡＭ（ランダム・アクセス・メモリ）であり、呼発信用の電話番号等が一時記憶されると共に、楽曲再生用の楽曲データが記憶される。すなわち、このＲＡＭ３には、電話回線と接続された楽曲ダウンロードセンター等からダウンロードされた楽曲データが記憶される。なお、このＲＡＭ３はバッテリ・バックアップがなされている。符号４は、電話番号入力用のテンキー、各種ファンクションキー等が設けられた操作部、符号５は、液晶表示パネルおよび表示制御回路から構成された表示部である。
【００１２】
符号６は、アンテナ７と接続された通信部であり、この通信部６は、送信データを搬送波に乗せてアンテナ７から送信し、またアンテナ７で受信した受信データを復調してＣＰＵ１または音声処理部８へ出力する。音声処理部８は、マイクロフォン９から入力された音声信号をデジタルデータに変換し、さらに圧縮して送信データとして通信部６へ出力し、また通信部６から出力された受信データ（音声データ）をアナログ音声信号に変換し、スピーカ１０へ出力する。
【００１３】
符号１１は、ＲＯＭ２に記憶された着信メロディデータをアナログ信号に変換する着信音発生部である。着信音発生部１１で変換されたアナログ信号は、着信メロディ発生用のスピーカ１２へ送られ、このスピーカ１２は着信メロディを発生する。
【００１４】
符号１３は、外部機器へ楽曲データを出力するためのインターフェース部であり、このインターフェース部１３から出力された楽曲データは、出力端子１４から携帯電話機Ｋの外部に出力される。出力端子１４には、外部再生機器としてシンセサイザ１５が接続され、さらに、このシンセサイザ１５にはスピーカ１６が接続される。なお、出力端子１４には、外部再生機器としてパーソナルコンピュータ等を接続することも可能である。
【００１５】
符号１７は、楽曲データを無線で外部機器へ送信する場合に用いられる送信部であり、この送信部１７は、楽曲データを搬送波に乗せてアンテナ１８から送信する。この場合、外部再生機器としては、無線で送信された楽曲データを受信する受信機１９が接続されたシンセサイザ２０が用いられる。なお、受信機１９には電波を受信するためのアンテナ２１が接続され、シンセサイザ２０には音声出力用のスピーカ２２が接続される。
【００１６】
次に、上述した携帯電話機Ｋの動作を説明する。この携帯電話機Ｋは、通常の携帯電話機としての機能と、楽曲を演奏するためのシーケンサとしての機能とを有する。最初に、携帯電話機として使用される場合の動作を説明する。
【００１７】
まず、電話の着信時は、アンテナ７を介して受信した着信信号を通信部６が復調し、これにより得られた着信データをＣＰＵ１へ出力する。ＣＰＵ１は、この着信データを受け、発信元の電話番号をＲＡＭ３に記憶させ、次いでＲＯＭ２に記憶された着信メロディデータを読み出し、着信音発生部１１へ出力する。着信音発生部１１は、この着信メロディデータをアナログ信号に変換し、変換したアナログ信号をスピーカ１２へ送る。すると、スピーカ１２は、着信メロディを発生する。
【００１８】
携帯電話機Ｋのユーザが、この着信メロディを聞き、操作部４の受信ボタンを操作すると、ＣＰＵ１がこれを検知し、着信音停止命令を着信音発生部１１へ出力すると共に、音声処理部８および通信部６へ回線接続命令を出力する。以後、発信元と電話回線が接続され、マイクロフォン９からの音声信号が発信元へ送信される。また、発信元からの音声データに基づく音声信号が音声処理部８からスピーカ１０へ送られ、スピーカ１０は音声を発生する。
【００１９】
次に、発信時においては、まずユーザが操作部４のテンキーによって電話番号を入力し、次いで発信ボタンを操作する。テンキーによって電話番号が入力されると、ＣＰＵ１が、この電話番号をＲＡＭ３に書き込む。次いで発信ボタンが操作されると、ＣＰＵ１が、ＲＡＭ３に記憶された電話番号を通信部６へ出力する。通信部６は、この電話番号を搬送波に乗せ、アンテナ７から送信する。送信された電話番号に基づく呼が送信先電話へ送られ、送信先電話の回線接続が行われると、ＣＰＵ１が通信部６および音声処理部８へ回線接続命令を出力し、以後マイクロフォン９およびスピーカ１０による通話が行われる。なお、以上の処理は、従来の携帯電話機の処理と同様である。
【００２０】
シンセサイザ１５がシーケンサ機能を持たない音源装置の場合には、この携帯電話機Ｋは、通常の携帯電話機としての機能の他に、楽曲を演奏するためのシーケンサとしての機能を有する。次に、この携帯電話機Ｋが楽曲を演奏するためのシーケンサとして使用される場合の動作を説明する。なお、以下で説明する動作は、携帯電話機Ｋとシンセサイザ１５とをケーブルで接続して使用する場合の動作であり、またダウンロードした楽曲データを記憶装置に記憶させた後に楽曲を演奏させる場合の動作である。
【００２１】
この場合、ユーザは、まず携帯電話機Ｋから楽曲ダウンロードセンターへ電話をかけ、楽曲データの発信を要求する。ここで、楽曲ダウンロードセンターとは、音楽配信専用に作られたコンピュータであり、電話回線を介してユーザからの要求を受け、要求があった楽曲の楽曲データを配信するものである。
【００２２】
配信される一曲分の楽曲データの構成を図２に示す。一曲分の楽曲データは、楽曲データの先頭を示すヘッダ、各音符データの再生に使用する音色を指定する音色データ、各音符データおよび休符データを再生するテンポを指定するテンポデータ、一曲分の楽曲を構成する音符データおよび休符データの列を含む。
【００２３】
楽曲ダウンロードセンターから配信された楽曲データは、携帯電話機Ｋのアンテナ７および通信部６を介してＣＰＵ１へ入力される。ＣＰＵ１は、この楽曲データをＲＡＭ３に書き込み、楽曲データのダウンロードを完了させる。なお、楽曲データのダウンロードは、複数曲分の楽曲データをまとめてダウンロードすることも可能である。
【００２４】
次に、ユーザは、操作部４のキーを操作することによって、ダウンロードした楽曲データの再生開始を指示する。ＣＰＵ１は、このキー操作を受け、楽曲データをＲＡＭ３から読み出し、まず楽曲データに含まれる音色データをインターフェース部１３へ送り、次に各音符データおよび休符データをテンポデータに応じたテンポで順次インターフェース部１３へ送る。
【００２５】
出力された音色データ、音符データおよび休符データは、出力端子１４に接続されたシンセサイザ１５に入力される。シンセサイザ１５は、このシンセサイザ１５が内蔵する多種多様な音源の中から、入力された音色データに対応する音源を選択し、選択した音源を用いて各音符データの再生を行う。また、各音符データおよび休符データが再生されるテンポは、前記テンポデータによって決められる。すなわち、各音符データおよび休符データが再生されるテンポは、携帯電話機Ｋが内蔵するＣＰＵ１によって制御される。シンセサイザ１５の出力はスピーカ１６へ送られ、スピーカ１６は楽曲を音声として出力する。以上により、携帯電話機Ｋを用いた楽曲の演奏が行われる。
【００２６】
シンセサイザ１５がシーケンサ機能を持つ音源装置の場合には、インターフェース部１３は、音色データ、音符データおよび休符データをシンセサイザ１５に適合する形式に変換する。シンセサイザ１５に適合する形式とは、例えばＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）やシンセサイザ１５独自のフォーマット等の、シンセサイザ１５内の音源を用いて楽曲を再生させるためのシーケンスデータの形式である。インターフェース部１３は、変換した音色データ、音符データおよび休符データを出力端子１４から携帯電話機Ｋの外部へ出力する。シンセサイザ１５又は２０は、このシンセサイザが内蔵するシーケンサ機能によって、内蔵する多種多様な音源の中から、入力された音色データに対応する音源を選択し、選択した音源を用いて各音符データの再生を行う。シンセサイザ１５の出力は、スピーカ１６へ送られ、スピーカ１６は楽曲を音声として出力する。以上により、以上により、携帯電話機Ｋを用いた楽曲の演奏が行われる。
【００２７】
なお、上記実施形態では、ダウンロードした楽曲データを一時ＲＡＭ３に保存した後に再生するものとしたが、ダウンロードを行いながらリアルタイムで楽曲を演奏させることも可能である。この場合、携帯電話機Ｋの通信部６で受信された楽曲データはＣＰＵ１へ送られ、ＣＰＵ１は、楽曲データに含まれる音色データ、音符データおよび休符データを、インターフェース部１３を介して直ちにシンセサイザ１５へ送る。
【００２８】
また、携帯電話機Ｋとシンセサイザとをケーブルで接続せずに、無線で音符データ等をシンセサイザ２０へ送信することも可能である。この場合、携帯電話機Ｋは、送信部１７およびアンテナ１８を介して音符データ等を送信する。送信された音符データ等は、外部再生機器におけるアンテナ２１を介して受信機１９で受信され、受信機１９に接続されたシンセサイザ２０へ送られる。
【００２９】
次に、ダウンロードした楽曲データを再生する動作を図３のフローチャートを参照して詳細に説明する。なお、以下の説明におけるＳ１等の符号はフローチャート中のステップを表す。
【００３０】
複数の曲をダウンロードした場合、ユーザは、まず携帯電話機Ｋの操作部４から曲番号を入力する（Ｓ１）。次に、ユーザが操作部４の演奏開始ボタンを操作すると（Ｓ２）、曲番号で指定された楽曲の演奏が開始される。
【００３１】
楽曲の演奏においては、まず、ＣＰＵ１が、ＲＡＭ３に記憶された楽曲データに含まれるテンポデータを読み出す。これにより、ＣＰＵ１は、後述する音符データまたは休符データの送出において、テンポデータによって指定されたテンポで、音符データまたは休符データをバスライン１ａへ送り出すように設定される。
【００３２】
次に、ＣＰＵ１は、ＲＡＭ３に記憶された楽曲データに含まれる音色データを読み出し、読み出した音色データをバスライン１ａ経由でインターフェース部１３へ送る。インターフェース部１３は、送られた音色データをシンセサイザ１５に適合する形式に変換し、出力端子１４から出力する。出力された音色データは、出力端子１４に接続されたシンセサイザ１５に入力され、シンセサイザ１５は、入力された音色データに基づいて、音符データの再生に使用する音源を決定する。
【００３３】
次に、ＣＰＵ１は、ＲＡＭ３に記憶された楽曲データに含まれる音符データおよび休符データの列の先頭から順に、各音符データまたは休符データを読み出し（Ｓ３）、バスライン１ａ経由でインターフェース部１３へ送る（Ｓ４）。インターフェース部１３は、送られた各音符データまたは休符データをシンセサイザ１５に適合する形式に変換し、出力端子１４から出力する。出力された各音符データまたは休符データは、シンセサイザ１５に順次入力され、これに基づいてシンセサイザ１５は楽曲の演奏を行う。このとき、シンセサイザ１５は、前記音色データによって指定された音色に対応する音源を使用して演奏を行う。
【００３４】
ＣＰＵ１は、各音符データまたは休符データをバスライン１ａへ送り出した後に、今送り出した音符データまたは休符データが、音符データおよび休符データの列の最終データであるか否かを検出し（Ｓ５）、最終データであれば楽曲を演奏する処理を終了させる。最終データでなければ、テンポデータによって決まる音符または休符間のインターバル時間が経過するのを待ち（Ｓ６）、このインターバル時間が経過した後に、次の音符データまたは休符データを読み出す（Ｓ３）。
【００３５】
携帯電話機Ｋと外部機器とのデータ伝送を双方向に構成することもできる。図１のインタフェース部１３にデータ入力機能を、送信部１７に受信機能（送受信部）を、シンセサイザ１５にデータ出力機能を、受信機１９を送受信機にする構成とすればよい。このような構成にすれば、携帯電話機Ｋは、外部再生機器からのデータを受信できるようになる。例えば、外部再生機器の停止スイッチなどの操作によって演奏の停止や、データの格納用メモリがいっぱいになった場合にデータの転送を一時中断したりすることが出来る。
【００３６】
【発明の効果】
本発明によれば、携帯電話機で受信した楽曲データを、多種多様な音源を有する外部再生機器で再生させることができるので、多音色の楽曲を元の音色に忠実に再生することができる。
【図面の簡単な説明】
【図１】本発明の一実施形態による携帯電話機Ｋおよびこの携帯電話機Ｋに接続される外部再生機器の構成を示すブロック図。
【図２】配信される一曲分の楽曲データの構成を示す図。
【図３】ダウンロードした楽曲データを再生する動作を示すフローチャート。
【符号の説明】
Ｋ  携帯電話機                  １  ＣＰＵ（制御手段）
１ａ  バスライン                ２  ＲＯＭ
３  ＲＡＭ                      ４  操作部
５  表示部                      ６  通信部（受信手段）
７  アンテナ                    ８  音声処理部
９  マイクロフォン              １０  スピーカ
１１  着信音発生部              １２  スピーカ
１３  インターフェース部（送出手段）      １４  出力端子（送出手段）
１５  シンセサイザ（外部再生機器）        １６  スピーカ
１７  送信部（送出手段）        １８  アンテナ（送出手段）
１９  受信機                    ２０  シンセサイザ（外部再生機器）
２１  アンテナ                  ２２  スピーカ
【図１】
0003575368.tif 000002
【図２】
0003575368.tif 000003
【図３】
0003575368.tif 000004